【手続補正書】
【提出日】令和2年1月28日(2020.1.28)
【手続補正１】
【補正対象書類名】特許請求の範囲
【補正対象項目名】全文
【補正方法】変更
【補正の内容】
【特許請求の範囲】
【請求項１】
燃焼炉内に設けられた火格子上で廃棄物を燃焼することで蒸気を生成するボイラと、
前記ボイラで生成した蒸気によって駆動する蒸気タービンと、
前記蒸気タービンの駆動力によって発電する第１発電機と、
前記第１発電機とは別の発電機である第２発電機を駆動させる内燃機関と、
前記火格子と前記内燃機関とを接続し、内部に熱媒体が流通する熱媒体流路と、
前記ボイラに供給する給水を加熱する給水加熱部と、
前記熱媒体流路に設けられ、前記火格子から送られてくる前記熱媒体を前記内燃機関へ導くか前記給水加熱部へ導くかを切り換える切換弁と、を備え、
前記内燃機関の運転開始前に前記熱媒体が前記内燃機関へ導かれるとともに、前記内燃機関の運転開始後に前記熱媒体が前記給水加熱部へ導かれるように、前記切換弁が切り換えられる廃棄物処理プラント。
【請求項２】
前記内燃機関から排出される前記熱媒体の温度を計測する温度計測手段と、
前記内燃機関に供給する前記熱媒体の流量を調整する流量調整手段と、を備え、
前記温度計測手段が計測した温度に基づいて、前記流量調整手段によって前記内燃機関に供給する前記熱媒体の量が調整される請求項１に記載の廃棄物処理プラント。
【請求項３】
前記熱媒体流路は、前記火格子と前記内燃機関との間から分岐し、前記給水加熱部に接続される分岐熱媒体流路を有し、
前記給水加熱部は、前記熱媒体と前記給水とを熱交換し、
前記熱媒体流路には、前記内燃機関に供給する前記熱媒体の流量と、前記給水加熱部に供給する前記熱媒体の流量とを調整する分岐流量調整手段が設けられている請求項１に記載の廃棄物処理プラント。
【請求項４】
前記内燃機関から排出される前記熱媒体の温度を計測する温度計測手段を備え、
前記温度計測手段が計測した温度に基づいて、前記分岐流量調整手段によって、前記内燃機関に供給される前記熱媒体の流量と、前記給水加熱部に供給される前記熱媒体の流量とが調整される請求項３に記載の廃棄物処理プラント。
【請求項５】
前記内燃機関から排出される燃焼排ガスと、前記給水加熱部に供給される前記熱媒体とを熱交換する熱交換部を備える請求項３または請求項４に記載の廃棄物処理プラント。
【請求項６】
燃焼炉内に設けられた火格子上で廃棄物を燃焼することで蒸気を生成するボイラと、
前記ボイラで生成した蒸気によって駆動する蒸気タービンと、
前記蒸気タービンの駆動力によって発電する第１発電機と、
前記第１発電機とは別の発電機である第２発電機を駆動させる内燃機関と、
前記火格子と前記内燃機関とを接続し、内部に熱媒体が流通する熱媒体流路と、
前記ボイラに供給する給水を加熱する給水加熱部と、
前記熱媒体流路に設けられ、前記火格子から送られてくる前記熱媒体を前記内燃機関へ導くか前記給水加熱部へ導くかを切り換える切換弁と、を備える廃棄物処理プラントの運転方法であって、
前記内燃機関の運転開始前に前記火格子から前記内燃機関へ前記熱媒体を導く工程と、
前記内燃機関の運転開始後に前記火格子から前記給水加熱部へ前記熱媒体を導く工程と、を備える廃棄物処理プラントの運転方法。
【手続補正２】
【補正対象書類名】明細書
【補正対象項目名】発明の名称
【補正方法】変更
【補正の内容】
【発明の名称】廃棄物処理プラント及び廃棄物処理プラントの運転方法
【手続補正３】
【補正対象書類名】明細書
【補正対象項目名】０００１
【補正方法】変更
【補正の内容】
【０００１】
本発明は、火格子上の廃棄物を燃焼することで生成した蒸気によって発電を行う廃棄物処理プラント及び廃棄物処理プラントの運転方法に関するものである。
【手続補正４】
【補正対象書類名】明細書
【補正対象項目名】０００８
【補正方法】変更
【補正の内容】
【０００８】
本発明は、このような事情に鑑みてなされたものであって、廃棄物処理プラント内に設けられた火格子と内燃機関との間で熱の授受を行うことで、廃棄物処理プラントにおける熱損失を低減させて、熱エネルギーを有効に利用することができる廃棄物処理プラント及び廃棄物処理プラントの運転方法を提供することを目的とする。
【手続補正５】
【補正対象書類名】明細書
【補正対象項目名】０００９
【補正方法】変更
【補正の内容】
【０００９】
上記課題を解決するために、本発明の廃棄物処理プラント及び廃棄物処理プラントの運転方法は以下の手段を採用する。
本発明の一態様に係る廃棄物処理プラントは、燃焼炉内に設けられた火格子上で廃棄物を燃焼することで蒸気を生成するボイラと、前記ボイラで生成した蒸気によって駆動する蒸気タービンと、前記蒸気タービンの駆動力によって発電する第１発電機と、前記第１発電機とは別の発電機である第２発電機を駆動させる内燃機関と、前記火格子と前記内燃機関とを接続し、内部に熱媒体が流通する熱媒体流路と、前記ボイラに供給する給水を加熱する給水加熱部と、前記熱媒体流路に設けられ、前記火格子から送られてくる前記熱媒体を前記内燃機関へ導くか前記給水加熱部へ導くかを切り換える切換弁と、を備え、前記内燃機関の運転開始前に前記熱媒体が前記内燃機関へ導かれるとともに、前記内燃機関の運転開始後に前記熱媒体が前記給水加熱部へ導かれるように、前記切換弁が切り換えられる。
また、本発明の一態様に係る廃棄物処理プラントの運転方法は、燃焼炉内に設けられた火格子上で廃棄物を燃焼することで蒸気を生成するボイラと、前記ボイラで生成した蒸気によって駆動する蒸気タービンと、前記蒸気タービンの駆動力によって発電する第１発電機と、前記第１発電機とは別の発電機である第２発電機を駆動させる内燃機関と、前記火格子と前記内燃機関とを接続し、内部に熱媒体が流通する熱媒体流路と、前記ボイラに供給する給水を加熱する給水加熱部と、前記熱媒体流路に設けられ、前記火格子から送られてくる前記熱媒体を前記内燃機関へ導くか前記給水加熱部へ導くかを切り換える切換弁と、を備える廃棄物処理プラントの運転方法であって、前記内燃機関の運転開始前に前記火格子から前記内燃機関へ前記熱媒体を導く工程と、前記内燃機関の運転開始後に前記火格子から前記給水加熱部へ前記熱媒体を導く工程と、を備える。
【手続補正６】
【補正対象書類名】明細書
【補正対象項目名】００１５
【補正方法】変更
【補正の内容】
【００１５】
また、本発明の一態様に係る廃棄物処理プラントは、前記熱媒体流路は、前記火格子と前記内燃機関との間から分岐し、前記給水加熱部に接続される分岐熱媒体流路を有し、前記給水加熱部は、前記熱媒体と前記給水とを熱交換し、前記熱媒体流路には、前記内燃機関に供給される前記熱媒体の流量と、前記給水加熱部に供給される前記熱媒体の流量とを調整する分岐流量調整手段が設けられていてもよい。
【手続補正７】
【補正対象書類名】明細書
【補正対象項目名】００２３
【補正方法】変更
【補正の内容】
【００２３】
以下に、本発明に係る廃棄物処理プラント及び廃棄物処理プラントの運転方法の一実施形態について、図面を参照して説明する。
〔第１実施形態〕
以下、本発明の第１実施形態について、図１及び図２を用いて説明する。
本実施形態に係る廃棄物処理プラント１は、図１及び図２に示すように、燃焼炉２内に設けられた火格子９上で廃棄物を燃焼して生成された燃焼ガスによって蒸気を生成するボイラ３と、ボイラ３からの蒸気によって駆動される蒸気タービン４と、廃棄物からメタン含有バイオガスを生成するメタン発酵槽５と、メタン発酵槽５からのメタン含有バイオガスによって駆動するガスエンジン６とを備えている。また、廃棄物処理プラント１は、第１発電機７及び第２発電機８によって発電を行っている。第１発電機７の回転軸は、蒸気タービン４の回転軸に接続され、第１発電機７は蒸気タービン４の回転力によって発電する。また、第２発電機８の回転軸は、ガスエンジン６の回転軸に接続され、第２発電機８は、ガスエンジン６の駆動力によって発電する。